(57)【特許請求の範囲】
【請求項１】
入賞確率を変更可能な遊技機１において、
前記入賞確率を変更する変更操作が行われる入賞確率変更スイッチ１１、及び、前記変更操作前の事前操作が行われる事前操作スイッチ１２を備える操作手段１０と、
前記変更操作によって前記入賞確率を変更する入賞確率変更手段２９と、
前記操作手段１０と前記入賞確率変更手段２９とを通信可能に接続する通信手段３と、
前記事前操作がなされたことを前記入賞確率変更手段２９で確認するための第１確認信号αを、前記通信手段３を介して前記操作手段１０から前記入賞確率変更手段２９に送信する第１送信手段１９と、
前記第１確認信号αを受信したことを前記操作手段１０で確認するための第２確認信号βを、前記通信手段３を介して前記入賞確率変更手段２９から前記操作手段１０に送信する第２送信手段２９と、
を備え、
前記入賞確率変更手段２９は、
前記第１送信手段１９及び前記第２送信手段２９による送信が行われ、かつ、前記操作手段が第２確認信号を受信した後、前記入賞確率変更スイッチ１１で受け付けられた前記変更操作に従って前記入賞確率を変更することを特徴とする遊技機１。
【請求項２】
請求項１に記載の遊技機１において、
前記第１送信手段１９は、前記事前操作スイッチ１２において前記事前操作が行われると、前記操作手段１０から前記入賞確率変更手段２９に前記第１確認信号αを一定期間送信し、
前記第２送信手段２９は、前記第１確認信号αの受信を開始すると、前記入賞確率変更手段２９から前記操作手段１０に前記第２確認信号βを一定期間送信し、
前記入賞確率変更手段２９は、
前記第１送信手段１９及び前記第２送信手段２９により前記第１確認信号αと前記第２確認信号βとが送信されている間のみ、前記入賞確率変更スイッチ１１で受け付けられた前記変更操作に従って前記入賞確率を変更することを特徴とする遊技機１。
【請求項３】
請求項２に記載の遊技機１において、
前記入賞確率変更手段２９は、
前記第１送信手段１９が前記第１確認信号αの送信を開始した後、一定期間が経過するまでに前記操作手段１０が前記第２確認信号βの受信を開始したときにのみ、前記入賞確率を変更することを特徴とする遊技機１。
【請求項４】
請求項１〜３のいずれかに記載の遊技機１において、
前記第１送信手段１９あるいは前記第２送信手段２９のいずれか一方でのみ送信が行われたとき警報する警報手段１３を備えることを特徴とする遊技機１。
【請求項５】
請求項１〜４のいずれかに記載の遊技機１において、
前記操作手段１０は、前記入賞確率変更スイッチ１１が前記変更操作を受け付けると、前記入賞確率を示す数のパルス信号からなる設定変更信号γを送信する送信手段１９を備え、
前記入賞確率変更手段２９は、前記設定変更信号γを受信すると、前記入賞確率を前記パルス信号が示す前記入賞確率に変更することを特徴とする遊技機１。
【請求項６】
請求項１〜５のいずれかに記載の遊技機１において、
前記第１送信手段１９あるいは前記第２送信手段２９のいずれか一方でのみ送信が行われたとき、前記入賞確率変更手段２９への電力の供給を停止する電源供給手段１４を備えることを特徴とする遊技機１。
【請求項７】
請求項６に記載の遊技機１において、
前記操作手段１０には、前記電源供給手段１４が備えられていることを特徴とする遊技機１。
【請求項８】
請求項１〜７のいずれかに記載の遊技機１において、
前記入賞確率変更手段２９は、当該遊技機１における大当たり抽選を実行する主基板２０に備えられていることを特徴とする遊技機１。
【発明の詳細な説明】
【技術分野】
【０００１】
本発明は、入賞確率を変更可能な遊技機に関する。
【背景技術】
【０００２】
遊技機の入賞確率の変更を行う技術として、下記の特許文献１に記載されたものがある。
この技術は、電源ユニットに設けられた設定キースイッチの操作に基づいて、遊技機の電源ユニットから主基板へ信号を送信し、主基板が信号を受信した状態で、主基板は入賞確率の変更操作（リセットスイッチの操作）を受け入れ可能となり、変更操作（リセットスイッチの操作）が行われると入賞確率を変更する処理を実行するというものである。
【特許文献１】特開２００４−３５０８０８号公報
【発明の開示】
【発明が解決しようとする課題】
【０００３】
しかし、上記公報の技術では、いわゆるゴト師などが、電源ユニットと主基板とを結ぶ信号ライン上に不正ハーネスを取り付け、主基板に向かって不正な信号を送信すると、主基板が、その不正な信号を適正な信号であると認識して入賞確率を変更する処理を実行してしまう恐れがあった。つまり、主基板では、受信された信号が不正なものか否かを判断できないので、単に信号を入力することによって入賞確率を変更されてしまうと、不正ハーネスを用いた不正行為を防止することができなかった。
【０００４】
そこで、本発明では、不正ハーネスを用いた不正な入賞確率の変更を阻止することができる遊技機を提供することを目的とする。
【課題を解決するための手段】
【０００５】
上述した問題を解決するためになされた請求項１に記載された遊技機は、入賞確率を変更可能な遊技機１において、前記入賞確率を変更する変更操作が行われる入賞確率変更スイッチ１１、及び、前記変更操作前の事前操作が行われる事前操作スイッチ１２を備える操作手段１０と、前記変更操作によって前記入賞確率を変更する入賞確率変更手段２９と、前記操作手段１０と前記入賞確率変更手段２９とを通信可能に接続する通信手段３と、前記事前操作がなされたことを前記入賞確率変更手段２９で確認するための第１確認信号αを、前記通信手段３を介して前記操作手段１０から前記入賞確率変更手段２９に送信する第１送信手段１９と、前記第１確認信号αを受信したことを前記操作手段１０で確認するための第２確認信号βを、前記通信手段３を介して前記入賞確率変更手段２９から前記操作手段１０に送信する第２送信手段２９と、を備え、前記入賞確率変更手段２９は、前記第１送信手段１９及び前記第２送信手段２９による送信が行われ、かつ、前記操作手段が第２確認信号を受信した後、前記入賞確率変更スイッチ１１で受け付けられた前記変更操作に従って前記入賞確率を変更することを特徴とする。
【０００６】
この遊技機では、事前操作がなされたことが、操作手段から入賞確率変更手段に送信され、さらに、この送信があったことが、入賞確率変更手段から操作手段に送信されないと、すなわち２重の送信がなされないと、入賞確率が変更されることはない。
【０００７】
従って、この遊技機は、ゴト師が不正ハーネスを通信手段に取り付けて入賞確率を変更する不正な信号を送信しても、上述した２重の送信がなされず、入賞確率が変更されることがないので、ゴト師等による入賞確率の不正な変更を確実に防止することができる。
【０００８】
次に、請求項２に記載したように、第１送信手段１９は、事前操作スイッチ１２において事前操作が行われると、操作手段１０から入賞確率変更手段２９に第１確認信号αを一定期間送信し、第２送信手段２９は、第１確認信号αの受信を開始すると、入賞確率変更手段２９から操作手段１０に第２確認信号βを一定期間送信し、入賞確率変更手段２９は、第１送信手段１９及び第２送信手段２９により第１確認信号αと第２確認信号βとが送信されている間のみ、入賞確率変更スイッチ１１で受け付けられた変更操作に従って入賞確率を変更するようにしてもよい。
【０００９】
このようにすれば、第１送信手段及び第２送信手段での送信が継続して行われている間のみ入賞確率の変更が可能となるので、ゴト師等による入賞確率の不正な変更をより確実に防止することができる。
【００１０】
次に、請求項３に記載したように、入賞確率変更手段２９は、第１送信手段１９が第１確認信号αの送信を開始した後、一定期間が経過するまでに操作手段１０が第２確認信号βの受信を開始したときにのみ、入賞確率を変更するようにしてもよい。
【００１１】
このようにすると、第１確認信号αの送信が開始されてから一定期間が経過するまでに操作手段が第２確認信号βの受信を開始しないと入賞確率が変更されないので、ゴト師等による入賞確率の不正な変更をより確実に防止することができる。
【００１３】
また、請求項４に記載したように、請求項１〜３のいずれかに記載の遊技機１において、第１送信手段１９あるいは第２送信手段２９のいずれか一方でのみ送信が行われたとき警報する警報手段１３を備えていてもよい。
【００１４】
ゴト師による不正は、ハーネス（本発明の通信手段に相当）に不正ハーネスを接続することにより行われるが、このような不正接続が行われると、見かけ上、第１送信手段１９あるいは第２送信手段２９のいずれかの送信が行われたようなものになる。そのため、この請求項４，５のようにすると、このようなゴト師による不正が行われたら警報がなされるので、不正行為をいち早く発見することができ、その結果、ゴト師等による入賞確率の不正な変更を確実に防止することができる。
【００１５】
また、より確実に入賞確率の不正な変更を防止するため、請求項６に記載したように、第１送信手段１９あるいは第２送信手段２９のいずれか一方でのみ送信が行われたとき、入賞確率変更手段２９への電力の供給を停止する電源供給手段１４を備えてもよい。このようにすると、入賞確率の変更が確実に不能になるので、ゴト師等による入賞確率の不正な変更をより確実に防止することができる。
【００１６】
次に、請求項５に記載したように、操作手段１０は、入賞確率変更スイッチ１１が変更操作を受け付けると、入賞確率を示す数のパルス信号からなる設定変更信号γを送信する送信手段１９を備え、入賞確率変更手段２９は、設定変更信号γを受信すると、入賞確率
をパルス信号が示す入賞確率に変更してもよい。
【００１７】
このようにすると、パルスの数と入賞確率との関係がわからないと入賞確率を変更できないので、ゴト師等による入賞確率の不正な変更を確実に防止することができる。
尚、請求項７に記載したように、操作手段１０には、電源供給手段１４が備えられていてもよい。また、この操作手段１０を構成する入賞確率変更スイッチ１１、及び、事前操作受付手段については、必ずしも一体である必要はなく、別個に設けられていてもよい。
【００１８】
また、請求項８に記載したように、入賞確率変更手段は、当該遊技機における大当たり抽選を実行する主基板に備えられていてもよいし、遊技機の法令が許すのであれば、遊技機の他の装置に備えられていても良い。
【発明を実施するための最良の形態】
【００１９】
以下、本発明が適用された実施形態である回胴式遊技機（以下、「スロットマシン」と呼ぶ。）について図面を用いて説明する。
［  １  全体構成  ］
ここで、図１はスロットマシン１の内部構成を示すブロック図である。
【００２０】
本実施形態のスロットマシン１は、図示しない３つのリール、これらのリールの回転をスタートさせるスタートレバー、リールの回転の停止を指示する図示しないストップボタン、その他、電飾用のランプ等を備えるスロットマシンである。
【００２１】
このスロットマシン１は、図１に示すように、このスロットマシン１の図示しない筐体の内部に、電源ユニット１０（本発明の操作手段に相当する）、主基板２０、演出基板３０を主に備えている。
【００２２】
電源ユニット１０は、本実施形態のスロットマシン１の入賞確率を変更するための変更操作を受け付ける設定変更スイッチ１１（本発明の入賞確率変更スイッチに相当する）、及び、この変更操作前の事前操作を受け付ける設定キースイッチ１２（本発明の事前操作スイッチに相当する）を備えている。これら設定変更スイッチ１１や設定キースイッチ１２は、ホールの従業員などによらなければ開錠して開くことができないスロットマシン１の筐体内に設置されている。また設定変更スイッチ１１は、６段階の操作が可能に構成されたものであり、各段階にスイッチが操作されると、各段階に対応した入賞確率を指示することができる。尚、入賞確率とは、遊技機１において入賞が発生する頻度をいう。この入賞確率は、遊技機において、いわゆる大当たりとなる確率として認識されており、具体的には、１／２４０から１／３００の範囲で６段階に変更可能に設定されているものである。
【００２３】
また、この電源ユニット１０は、警報音その他の音声を送信するスピーカ１３、外部から取り込んだ電力を、スロットマシン１の稼動用の電圧等に調整して主基板２０や演出基板３０等のスロットマシン１を構成する各装置に供給する電力供給器１４（本発明の電源供給手段に相当する）を備えている。
【００２４】
さらに、電源ユニット１０は、後述する電源ユニット処理１００を実行するコンピュータ１９を備えている。このコンピュータ１９は、ＣＰＵ、ＲＯＭ、ＲＡＭ等を備えており、前述した設定変更スイッチ１１や設定キースイッチ１２、スピーカ１３、電力供給器１４と接続されており、電源ユニット処理の際には、これら１１〜１４と連携して処理を実行する。
【００２５】
主基板２０は、コンピュータ２９を備えるもので、このコンピュータ２９は後述する主基板処理２００を実行する。
また、この主基板２０には、前述したスタートレバー２１その他が接続されており、コンピュータ２９はスタートレバー２１の操作に応じて大当たり等を抽選する抽選処理を実行する。
【００２６】
演出基板３０は、抽選結果その他による演出を実行する処理を行うコンピュータ３９を備える。このコンピュータ３９は、主基板２０で行われた抽選処理の結果に基づいて、演出基板３０に接続された演出用のランプ３１を点灯させたり、図示しないストップボタンの押下タイミングに応じて、リールの回転を停止するなどの演出のための処理を実行する。
［  ２  通信される信号と入賞確率の変更の有無・電力供給の有無について  ］
次に、上述したスロットマシン１を構成する電源ユニット１０と主基板２０との間で通信される信号や、入賞確率の変更の有無・電力供給の有無について説明する。
【００２７】
ここで図２は、入賞確率を変更する構成を模式的に記載した模式図である。また、図３は、入賞確率が変更される際に、電源ユニット１０と主基板２０との間で通信される信号の模式図である。また、図４は、電源ユニット１０と主基板２０との間で通信される信号と、入賞確率の変更の有効性あるいは電源供給の有無についての関係を記載した表である。
【００２８】
本実施形態のスロットマシン１では、図２に示すように、設定キースイッチ１２が押下されると（前述した事前操作に相当）、設定キーＯＮ信号α（本発明の第１確認信号αに相当する）が電源ユニット１０から主基板２０に通信ハーネス３を介して送信される。そして、主基板２０は、この設定キーＯＮ信号αを受信すると、通信ハーネス３を介して主基板２０から電源ユニット１０に設定キー確認信号β（本発明の第２確認信号βに相当する）を返信する。
【００２９】
このとき通信される設定キーＯＮ信号αは、図３（ａ）に示すように、設定キースイッチ１２が押下されてから一定時間Ｔ１が経過するまで、一定電圧が継続して送信される信号である。また、設定キー確認信号βは、図３（ｂ）に示すように、主基板２０が設定キーＯＮ信号αを受信した後の、設定キーＯＮ信号αの送信タイミングから所定時間ｔだけ遅れたタイミングから一定時間Ｔ２が経過するまで、一定電圧が継続して送信される信号である。
【００３０】
次に、本実施形態のスロットマシン１の設定変更スイッチ１１は、前述したように、６段階の操作が可能に構成されおり、図２に示すように、いずれかの段階にスイッチを合わせると、各段階に応じた設定変更信号γが電源ユニット１０から主基板２０に通信ハーネス３を介して送信される。
【００３１】
このとき通信される設定変更信号γは、図３に示すように、設定変更スイッチ１１の各段階を示すパルス信号であり、段階１に合わせたときは、図３（ｃ）に示すように、１つのパルス信号からなる設定変更信号γが送信される。そして、段階２に合わせたときは、図３（ｄ）に示すように、２つのパルス信号からなる設定変更信号γが送信され、段階６に合わせた時は、図３（ｅ）に示すように、６つのパルス信号からなる設定変更信号γが送信され、各段階の数に対応する数のパルス信号からなる設定変更信号γが送信される。主基板２０では、この設定変更信号γであるパルス信号に基づいて入賞確率を変更する。尚、この入賞確率は、コンピュータ２９を構成するＲＡＭなどに記憶されており、前述した抽選処理は、この入賞確率に基づいて実行される。
【００３２】
次に、このような通信が行われるスロットマシン１における入賞確率の変更の有無や、電源ユニット１０から主基板２０への電力の供給の有無について、図４を用いて説明する。
【００３３】
入賞確率の変更については、設定キーＯＮ信号αと設定キー確認信号βとが通信されたときに（図４の表では通信されることを「ＯＮ」、通信されていないことを「ＯＦＦ」としている）、設定変更信号γが主基板２０に送信されると実行される（図４の表では、入賞確率の変更が行われることを「有効」、行われないことを「無効」としている）。一方、設定キーＯＮ信号αあるいは設定キー確認信号βのいずれか一方の信号しか通信されていないときは、入賞確率の変更が行われない。また、これら両方の信号が通信されていないときも、入賞確率の変更は行われない。
【００３４】
また、電力の供給の有無については、設定キーＯＮ信号αと設定キー確認信号βとが通信されたとき、あるいはこれらの信号の通信がなされていないときには、電源ユニット１０の電力供給器１４により主基板２０に電力が供給される（図４の表では、電力の供給が行われることを「供給」、行われないことを「供給停止」としている）。一方、いずれか一方の信号しか通信されていないときは、電力の供給は停止される。
［  ３  電源ユニット処理  ］
次に、上述した各種信号や、入賞確率の変更、電力供給を実行する各種処理について、以下説明する。
【００３５】
まず、電源ユニット１０のコンピュータ１９で実行される電源ユニット処理について説明する。
ここで、図５は、電源ユニット処理のフローチャートである。尚、下記で文書中に特に示さない限り、ステップ番号の小さいものから大きい物を順に実行するものとする。
【００３６】
この電源ユニット処理１００は、本実施形態のスロットマシン１の稼動中、実行される処理である。
この電源ユニット処理１００では、まず、設定キー確認信号βが受信されたか否かが判定される（Ｓ１０１）。ゴト師等が不正ハーネスを、通信ハーネス３に取り付けたとき、不正な設定キー確認信号βが受信される可能性があるため、このような判定を行っている。この判定は、図４の表の設定キーＯＮ信号αがＯＦＦ、設定キー確認信号βがＯＮである場合に相当する。この判定で、設定キー確認信号βが受信されたと判定されたときは（Ｓ１０１：ＹＥＳ）、Ｓ１５０の処理が実行され、設定キー確認信号βが受信されていないと判定されたときは（Ｓ１０１：ＮＯ）、Ｓ１０３の処理が実行される。
【００３７】
Ｓ１０３では、設定キースイッチ１２が押下されたか否かが判定される。この判定で、設定キースイッチ１２が押下されたと判定されると（Ｓ１０３：ＹＥＳ）、Ｓ１０５の処理では、設定キーＯＮ信号αを送信する処理が開始される。一方、この判定（Ｓ１０３）で、設定キースイッチ１２が押下されていないと判定されると（Ｓ１０３：ＮＯ）、再びＳ１０１の処理が実行される。尚、このＳ１０３の判定で、否定判定された場合については（Ｓ１０３：ＮＯ）、図４の表の設定キーＯＮ信号αがＯＦＦ、設定キー確認信号βがＯＦＦである場合に相当する。
【００３８】
この設定キーＯＮ信号αを主基板２０に送信する処理が実行されると（Ｓ１０５）、上述したように、主基板２０から電源ユニット１０に設定キー確認信号βが送信されてくる。そのため、このＳ１０５の次には、この設定キー確認信号β（図２参照）を電源ユニット１０が受信を開始したタイミングが、設定キーＯＮ信号αの送信を開始してから「ｔ１」秒経過していないか否かを判定する処理が実行される（Ｓ１０７）。本実施形態では、前述したように、主基板２０が設定キーＯＮ信号αを受信すると、この設定キーＯＮ信号αが電源ユニット１０から送信されるタイミングからｔ秒遅れで、主基板２０から送信されるが（図３参照）、この遅れで設定キー確認信号βが主基板２０から発信されたか否かを、このＳ１０７では、設定キー確認信号β（図２参照）を電源ユニット１０が受信を開始したタイミングが、設定キーＯＮ信号αの送信を開始してから「ｔ１」秒経過していないか否かで判定している。この判定を行っているのは、不正が行われていなければ、通常は、設定キーＯＮ信号αの送信を開始してから「ｔ１」秒以内に、設定キー確認信号β（図２参照）を受信するが、不正ハーネスを接続した不正が行われた場合には、不正ハーネスの長さ分だけ、これよりもタイミングとしては長くなる可能性があるので、このＳ１０７のような判定を行っている。そして、この判定で、「ｔ１」秒以内に設定キー確認信号βを受信した場合は（Ｓ１０７：ＹＥＳ）、Ｓ１０９の処理を実行し、受信しなかった場合は（Ｓ１０７：ＮＯ）、Ｓ１５０の処理を実行する。尚、このＳ１０７の判定で、否定判定された場合については（Ｓ１０７：ＮＯ）、図４の表の設定キーＯＮ信号αがＯＮ、設定キー確認信号βがＯＦＦである場合に相当し、肯定判定された場合については（Ｓ１０７：ＹＥＳ）、図４の表の設定キーＯＮ信号αがＯＮ、設定キー確認信号βがＯＮである場合に相当する。
【００３９】
Ｓ１０９では、設定キーＯＮ信号αが送信中であるか否かが判定される。つまり、設定キーＯＮ信号αの送信が開始されてから、ｔ１秒が経過しているか否かが判定される。この判定で、設定キーＯＮ信号αが送信中であると判定されると（Ｓ１０９：ＹＥＳ）、Ｓ１１１の処理が実行され、送信中でないと判定されると（Ｓ１０９：ＮＯ）、Ｓ１０１の処理が実行される。
【００４０】
Ｓ１１１では、設定キー確認信号βを受信中であるか否かが判定される。つまり、主基板２０が設定キー確認信号βの送信を開始してから、ｔ２秒が経過しているか否かが判定される。この判定で、設定キー確認信号βが送信中であると判定されると（Ｓ１１１：ＹＥＳ）、Ｓ１１３の処理が実行され、送信中でないと判定されると（Ｓ１１１：ＮＯ）、Ｓ１０１の処理が実行される。
【００４１】
Ｓ１１３では、設定変更スイッチ１１の操作がなされたか否かが判定される。具体的には、設定変更スイッチ１１が操作され、段階が変更されたか否かが判定される。この判定で、操作されていないと判定されたら（Ｓ１１３：ＮＯ）、再びＳ１０９の処理が実行され、操作されていると判定されたら（Ｓ１１３：ＹＥＳ）、Ｓ１１５の処理が実行される。
【００４２】
Ｓ１１５では、Ｓ１１３で操作された設定変更スイッチ１１の変更操作先の段階に対応する数のパルス信号からなる設定変更信号γを送信する処理が実行される。
これらＳ１０９〜Ｓ１１５までの処理を実行すると、図４に示すように、設定キーＯＮ信号αの送信が開始されてからＴ１秒内、かつ、設定キー確認信号βの送信が開始されてからＴ２秒内である場合のみ、Ｓ１１５の処理が実行可能である。すなわち、本実施形態では、設定キーＯＮ信号αの送信が開始されてからｔ１秒内、かつ、設定キー確認信号βの送信が開始されてからｔ２秒内である場合に設定変更信号γが送信された場合にのみ、入賞確率の変更を行うことができるのである。
【００４３】
そして、Ｓ１１５の処理が実行されると、再びＳ１０１の処理が実行される。
Ｓ１５０の処理は、Ｓ１０１及びＳ１０７で不正が行われたと判定された場合（Ｓ１０１：ＹＥＳ：設定キースイッチ１２が操作されていないのに、設定キー確認信号βが送信されてきた場合、及び、Ｓ１０７：ＮＯ：ｔ１秒以内に設定キー確認信号βが受信されない）にのみ実行される。このＳ１５０では、電力供給器１４から主基板２０及び演出基板３０への電力の供給を停止する処理が電力供給器１４に対して実行される。
【００４４】
Ｓ１５２では、スピーカ１３から警報音を送信する処理が実行される。
このＳ１５０からＳ１５２の処理を実行すると、不正行為が行われた場合には、主基板２０への電力の供給が停止されて、入賞確率の変更が完全に防止される他、不正行為が行われた瞬間に警報がなされるので、不正行為の早期発見をすることができ、この警報がなされることで、不正行為の抑止効果を奏することもできる。
【００４５】
そして、これらの処理（Ｓ１５２）が実行されると、再びＳ１０１の処理が実行される。
［  ４  主基板処理  ］
次に、本実施形態の主基板２０のコンピュータ２９で実行される主基板処理について説明する。
【００４６】
ここで、図６は、主基板処理のフローチャートである。尚、下記で文書中に特に示さない限り、ステップ番号の小さいものから大きい物を順に実行するものとする。
この主基板処理２００は、本実施形態のスロットマシン１の稼動中、実行される処理である。
【００４７】
この主基板処理２００では、まず、設定キーＯＮ信号αが受信されたか否かが判定され（Ｓ２０１）、受信されるまで待機する（Ｓ２０１：ＮＯ）。そして、受信されたら（Ｓ２０１：ＹＥＳ）、次にＳ２０３の処理を実行する。
【００４８】
Ｓ２０３では、設定キー確認信号βの送信を開始する処理を実行する。
そしてＳ２０５では、設定キー確認信号βを送信中であるか否かが判定される。つまり、設定キー確認信号βの送信が開始されてから、Ｔ２秒が経過しているか否かが判定される。この判定で、設定キー確認信号βが送信中であると判定されると（Ｓ２０５：ＹＥＳ）、Ｓ２０７の処理が実行され、送信中でないと判定されると（Ｓ２０５：ＮＯ）、Ｓ２０１の処理が実行される。
【００４９】
Ｓ２０７では、設定キーＯＮ信号αを受信中であるか否かが判定される。つまり、電源ユニット１０が設定キーＯＮ信号αの送信を開始してから、Ｔ１秒経過しているか否かが判定される。この判定で、設定キーＯＮ信号αが送信中であると判定されると（Ｓ２０７：ＹＥＳ）、Ｓ２０９の処理が実行され、送信中でないと判定されると（Ｓ２０７：ＮＯ）、Ｓ２０１の処理が実行される。
【００５０】
Ｓ２０９では、設定変更信号γを受信したか否かが判定される。この判定で、受信していないと判定されたら（Ｓ２０７：ＮＯ）、再びＳ２０５の処理が実行され、受信されていると判定されたら（Ｓ２０７：ＹＥＳ）、Ｓ２１１の処理が実行される。
【００５１】
ここで、Ｓ２０５〜Ｓ２０９までの処理を実行すると、図３に示すように、設定キーＯＮ信号αの送信が開始されてからＴ１秒内、かつ、設定キー確認信号βの送信が開始されてからＴ２秒内である場合のみ、設定変更信号γが受信されるので、入賞確率はこのような場合にのみ変更される。
【００５２】
そして、Ｓ２１１では、受信した設定変更信号γに基づいて入賞確率を変更する処理が実行され、再び、Ｓ２０１が実行される。
［  ５  本実施形態の特徴的な効果  ］
本実施形態のスロットマシン１では、設定キースイッチ１２が操作されたことが、電源ユニット１０から主基板２０に送信され、さらに、この送信があったことが、主基板２０から電源ユニット１０に送信されないと、すなわち２重の送信がなされないと、入賞確率が変更されることはない。しかも、その送信に用いられる設定キーＯＮ信号αと設定キー確認信号βとが送信されているときのみしか入賞確率が変更されることはない。
【００５３】
従って、このスロットマシン１は、ゴト師が不正ハーネスを通信ハーネス３に取り付けて入賞確率を変更する不正な信号を送信しても、上述した２重の送信がなされず、入賞確率が変更されることがないので、ゴト師等による入賞確率の不正な変更を確実に防止することができる。
【００５４】
また、本実施形態のスロットマシン１では、設定キーＯＮ信号αが主基板２０に不正に送信されるなどして、電源ユニット１０から設定キーＯＮ信号αが送信されることなく設定キー確認信号βが受信されたり、設定キーＯＮ信号αが送信されてもｔ１秒以内に設定キー確認信号βが受信されないなど、不正が行われている蓋然性が高い場合、警報を行ったり、主基板２０への電力の供給を停止している。
【００５５】
このようにすると、不正行為をいち早く発見することができ、また、不正行為を抑制することができ、さらに、ゴト師等による入賞確率の不正な変更をより確実に防止することができる。
【００５６】
さらに、本実施形態のスロットマシン１では、パルス信号に基づいて入賞確率を変更している。そのため、本実施形態のスロットマシン１では、パルスの数と入賞確率との関係がわからないと入賞確率を変更できないので、ゴト師等による入賞確率の不正な変更を確実に防止することができる。
［  ６  その他の実施形態  ］
尚、上記実施形態では、警報は電源ユニット１０で実行していたが、主基板２０、図示しない払出基板、演出基板３０へ警報を行う旨の信号を送信して、これらの基板で警報を行うようにしてもよい。警報の内容は、警報音を送信する他に、警報メッセージを表示するものであってもよいし、警報の音声を送信するものであっても良いし、ランプを点滅当させても良い。また、警報を行ったことは、履歴として図示しないメモリに記憶してもよい。
【００５７】
また、設定キーＯＮ信号α又は設定変更信号γの内、一方の信号を他の基板を介して主基板２０に入力するものであっても良い。この様にすることにより、不正を行う時間とリスクがかかるので予防になる。
【００５８】
さらに、本実施形態では、一定時間継続する設定キーＯＮ信号αと設定キー確認信号βを用いて、これらの信号の送信が停止するまでに設定変更信号γを主基板２０が受信したときに入賞確率を変更するようにしていたが、設定キーＯＮ信号α及び設定キー確認信号βを単発のパルス状の信号として、このパルス状の信号を受信してから一定時間が経過するまでに設定変更信号γを受信したときに、入賞確率を変更するようにしてもよい。
【００５９】
このようにすると、設定キーＯＮ信号αの送信が開始されてから一定期間が経過するまでに電源ユニット１０が設定キー確認信号βの受信を開始しないと入賞確率が変更されないので、ゴト師等による入賞確率の不正な変更をより確実に防止することができる。
【００６０】
また、上記実施形態では、設定変更スイッチ１１及び設定キースイッチ１２が電源ユニット１０に備えられているものについて説明したが、これらのスイッチ１１，１２は、この電源ユニット１０以外の場所に備えられていても良いし、他のスイッチ（例えば、リールをストップさせるためのスイッチ等）と共用してもよい。
【００６１】
また、本発明は、特許請求の範囲に記載された発明の趣旨に合致するものであればよく、上述の実施形態に限定されるものではない。
【図面の簡単な説明】
【００６２】
【図１】本実施形態のスロットマシン１の内部構成を示すブロック図である。
【図２】入賞確率を変更する構成を模式的に記載した模式図である。
【図３】入賞確率が変更される際に、電源ユニット１０と主基板２０との間で通信される信号の模式図である。
【図４】電源ユニット１０と主基板２０との間で通信される信号と、入賞確率の変更の有効性あるいは電源供給の有無についての関係を記載した表である。
【図５】電源ユニット処理のフローチャートである。
【図６】主基板処理のフローチャートである。
【符号の説明】
【００６３】
１…スロットマシン、３…通信ハーネス、１０…電源ユニット、１１…設定変更スイッチ、１２…設定キースイッチ、１３…スピーカ、１４…電力供給器、１９…コンピュータ、２０…主基板、２１…スタートレバー、２９…コンピュータ、３０…演出基板、３１…ランプ、３９…コンピュータ
【図１】
0005272358.tif 000002
【図２】
0005272358.tif 000003
【図３】
0005272358.tif 000004
【図４】
0005272358.tif 000005
【図５】
0005272358.tif 000006
【図６】
0005272358.tif 000007